(57)【要約】      （修正有）【課題】オムツを安定的に保持可能であるとともに、オムツ交換時には着用者が起立したまま脚部を上げなくても交換可能なボトムを提供する。【解決手段】ボトム１は、着用者の胴部に固定される胴回り部２と、着用者の脚部の周囲に配置される裾部５と、胴回り部２と裾部５の間に介在する第１の側部３及び第２の側部４と、で囲まれる布本体６を備え、布本体６が折り畳まれずに胴回り部２が胴部に固定される場合に、胴回り部２、第１の側部３、第２の側部４及び裾部５はそれぞれ１箇所ずつ設けられ、胴回り部２の内面２ｃのうち着用者の腰部に一致して配置される腰部配置部２Ｌに、胴部に巻回されるベルト部材１１と、着用者の股上部を被覆するための長尺状をなす被覆カバー１７がそれぞれ取り付けられる。【選択図】図１
0003218290.tif 000002
【実用新案登録請求の範囲】
【請求項１】
下半身に着用されるボトムであって、
着用者の胴部に固定される胴回り部と、前記着用者の脚部の周囲に配置される裾部と、前記胴回り部と前記裾部の間に介在する第１の側部及び第２の側部と、で囲まれる布本体を備え、
この布本体が折り畳まれずに前記胴回り部が前記胴部に固定される場合に、前記胴回り部、前記第１の側部、前記第２の側部及び前記裾部はそれぞれ１箇所ずつ設けられ、
前記布本体を上下方向に二つ折りする折り畳み線において折り畳まれて前記胴回り部が前記胴部に固定される場合に、前記胴回り部、前記第１の側部及び前記第２の側部はそれぞれ前記折り畳み線を挟んで１箇所ずつ設けられ、前記裾部は、前記布本体の左右方向についての中心線に関して対称的に１箇所ずつ設けられることを特徴とするボトム。
【請求項２】
前記布本体が折り畳まれずに前記胴回り部が前記胴部に固定される場合に、
前記胴回り部の一端及び前記第１の側部の少なくともいずれかに第１の接続手段が設けられ、
前記胴回り部の他端及び前記第２の側部の少なくともいずれかに第２の接続手段が設けられ、
前記第１の接続手段と前記第２の接続手段を接続して第１の接続部を形成することで、前記布本体は、巻きスカート状をなすことを特徴とする請求項１に記載のボトム。
【請求項３】
前記布本体が前記折り畳み線において折り畳まれて前記胴回り部が前記胴部に固定される場合に、
前記胴回り部の一端及び前記第１の側部の少なくともいずれかに第１の接続手段が設けられ、
前記胴回り部の他端及び前記第２の側部の少なくともいずれかに第２の接続手段が設けられ、
前記第１の接続手段同士を接続し、かつ前記第２の接続手段同士を接続してそれぞれ第２の接続部を形成することで、前記布本体は、前記中心線に関して対称的に１箇所ずつ設けられる前記裾部がそれぞれ脚部を挿入する一対の脚挿入孔として設けられるパンツ状をなすことを特徴とする請求項１に記載のボトム。
【請求項４】
前記胴回り部の内面のうち前記着用者の腰部に一致して配置される腰部配置部に、前記胴部に巻回されるベルト部材と、前記着用者の股下部を被覆するための長尺状をなす被覆カバーがそれぞれ取り付けられ、
前記ベルト部材は、前記腰部配置部に取り付けられる取付部と、この取付部から互いに離れる方向に延設される第１及び第２の紐状部を備え、
この第１及び第２の紐状部は、各先端に第１及び第２の連結手段がそれぞれ設けられ、
前記被覆カバーは、一方の短辺が前記腰部配置部に取り付けられるとともに、他方の短辺が前記着用者の腹部側において前記第１及び第２の連結手段同士が互いに連結して形成される連結部に係止されることを特徴とする請求項１乃至請求項３のいずれか１項に記載のボトム。
【請求項５】
前記連結部は、前記着用者の前記腹部と接触する接触面と、接触しない非接触面を有する平板状をなし、
前記非接触面は、長尺体がその両端部を介して取り付けられ、
前記被覆カバーの前記他方の短辺は、前記長尺体の前記両端部間において、前記非接触面と前記長尺体との隙間に挿入されて係止されることを特徴とする請求項４に記載のボトム。
【考案の詳細な説明】
【技術分野】
【０００１】
本考案は、下半身に着用されるボトムに係り、特に、着用者が起立したままで着脱可能であるとともに、装着したオムツがずれるのを防止できるボトムに関する。
【背景技術】
【０００２】
従来、介護施設や家庭においては、装着したオムツがずれないように臀部全体を被覆するオムツカバーが使用されてきた。しかし、このようなオムツカバーでは、臀部が嵩張ってオムツを装着していることが一見して分かったり、着崩れした寝巻の裾の間からオムツカバーが見えたりするため、その外観が良好でなく着用者にとって好ましいものではなかった。そこで、装着したオムツカバーを覆い隠すことができる衣服が求められてきた。
このような課題を解決するために、近年、着用者の下半身を被覆可能な衣服についての技術が開発されており、それに関して既にいくつかの考案が開示されている。
【０００３】
特許文献１には「病人用巻スカート」という名称で、オムツカバーを被覆するスカート状の衣服に関する考案が開示されている。
以下、特許文献１に開示された考案について説明する。特許文献１に開示された考案は、２枚の布を後身の部分で２重になるように縫い合わせた縫い合わせ部分の内側に身頃係止手段を設けるとともに、前身付近に備えられた外身頃と内身頃の重合部に身頃係止手段を設け、縫い合わせ部分の身頃係止手段と重合部の身頃係止手段に、オムツカバーの後端と前端をそれぞれ係止可能に構成したことを特徴とする。
このような特徴を有する考案においては、巻スカートによってオムツカバーが覆い隠されるため、オムツ装着時の外観を良好にすることができる。また、巻スカートの内部にオムツカバーを簡単に取り付け、オムツを固定することができるので、身体の不自由な着用者であってもオムツ交換が容易となる。さらに、着用護者が起立した際において、一方の脚部を上げなくてもオムツを交換することができる。
【０００４】
次に、特許文献２には「病人用の保護衣」という名称で、スカート状等に形成した保護衣に関する考案が開示されている。
以下、特許文献２に開示された考案について説明する。特許文献２に開示された考案は、スカート状又はズボン状に形成した保護衣に前割り部を設け、この前割り部にファスナー部材を設けて開閉自在となし、保護衣の上部にベルト部を備えるとともに、このベルト部の下方において保護衣の表側又は裏側に結び紐を備えることを特徴とする。
このような特徴を有する考案においては、ファスナー部材を開いて前割り部を左右に広げることにより、オムツを容易に取り替え可能である。
また、装着したオムツを覆うようにベルト部を腰に位置させて巻き付け、さらに結び紐を腰回りに結ぶことにより、オムツを保護衣で固定することができる。そのため、オムツ装着時の外観が良好であるとともに、オムツが外れ難い。
【０００５】
さらに、特許文献３には「介護用ズボン型肌着」という名称で、ズボン型に形成した肌着に関する考案が開示されている。
以下、特許文献３に開示された考案について説明する。特許文献３に開示された考案は、ズボン体とカバー部とおむつ部とによってなり、ズボン体は、ファスナーを設けて前身頃が開くようにするとともに、腰回り部にウエスト紐を装着し、ズボン体の内面の上端縁に矩形の第１接続部材を設け、カバー部は、上端に固定ベルトとおむつ部の取付手段を設けるとともに下端の両角部にループ部を設け、第１接続部材に対応する位置に設けられる第２接続部材を介してズボン体に取り付けられ、おむつ部は、使い捨ての紙おむつであって、上端に設けられる取付け片を介してカバー部の取付手段に取り付けられることを特徴とする。
このような特徴を有する考案においては、カバー部におむつ部を取り付けた後にカバー部の下端を折り返し、この下端の両角部に設けられるループ部に固定ベルトの両端をそれぞれ通して緊締するとともに、カバー部を第２接続部材を介してズボン体に取り付けることにより、おむつ部をズボン体の内部に簡単に装着できる。そのため、オムツ装着時の外観を良好にすることができる。また、おむつ部がカバー部によって被介護者の皮膚に密着固定されるので、排泄物が漏れ難い。
【先行技術文献】
【特許文献】
【０００６】
【特許文献１】実開昭６３−６０４１１号公報
【特許文献２】実開平１−１０２１０９号公報
【特許文献３】登録実用新案第３１９９９５０号公報
【考案の概要】
【考案が解決しようとする課題】
【０００７】
しかしながら、特許文献１に開示された考案においては、重合部の身頃係止手段にオムツカバーの前端が係止されるので、外身頃を内身頃から引き剥がす操  作により、オムツカバー保持されたオムツがずれるおそれがある。特に、着用者が起立した状態のままオムツ交換をする際には、オムツを落下させないようにしなければならず、取り扱いに注意を要する。
【０００８】
次に、特許文献２に開示された考案においては、オムツを収容するカバーが設けられずオムツ自体が固定されていないため、歩行可能な着用者の場合では、歩行によってオムツがずれたり、落下したりするおそれがある。
【０００９】
さらに、特許文献３に開示された考案においては、ズボン体に設けられるファスナーは、脚部の途中までしか設けられていない。そのため、被介護者が起立したままオムツを交換したいときに一方の脚部を上げる必要があり、脚力の弱い被介護者やこれを介助する介護者にとって負担となる可能性がある。また、カバー部は、固定ベルト、取付手段及びループ部を備えたやや複雑な構成であるため、製造コストが嵩んで導入し難くなるおそれがある。
【００１０】
本考案は、このような従来の事情に対処してなされたものであり、オムツの装着時にはこれを安定的に保持可能であるとともに、オムツ交換時には着用者が起立したまま脚部を上げなくても交換可能であり、しかも簡易な構成のため容易に導入し得るボトムを提供することを目的とする。
【課題を解決するための手段】
【００１１】
上記目的を達成するため、第１の考案は、下半身に着用されるボトムであって、  着用者の胴部に固定される胴回り部と、着用者の脚部の周囲に配置される裾部と、胴回り部と裾部の間に介在する第１の側部及び第２の側部と、で囲まれる布本体を備え、この布本体が折り畳まれずに胴回り部が胴部に固定される場合に、胴回り部、第１の側部、第２の側部及び裾部はそれぞれ１箇所ずつ設けられ、布本体を上下方向に二つ折りする折り畳み線において折り畳まれて胴回り部が胴部に固定される場合に、胴回り部、第１の側部及び第２の側部はそれぞれ折り畳み線を挟んで１箇所ずつ設けられ、裾部は、布本体の左右方向についての中心線に関して対称的に１箇所ずつ設けられることを特徴とする。
【００１２】
このような構成の考案においては、胴回り部と、第１の側部と、第２の側部と、裾部（これらを本段落において胴回り部等という。）と、で囲まれる布本体は、非装着時において１枚の布体に展開される。また、布本体を上下方向に折り畳んで着用するかに否かに応じて、胴回り部等の個数が異なっている。
すなわち、布本体が折り畳まれずに胴回り部が胴部に固定される場合、胴回り部等はそれぞれ１箇所ずつ設けられ、布本体は略四角形状に展開される。よって、胴回り部を胴部に巻き付けて固定することで、布本体は巻きスカート状に形成されて着用可能となる。
一方、布本体が折り畳み線において折り畳まれて胴回り部が胴部に固定される場合、胴回り部等はそれぞれ２箇所ずつ設けられ、布本体は略八角形状に展開される。よって、胴回り部を胴部に巻き付けて固定するとともに、第１の側部同士と、第２の側部同士をそれぞれ接続することにより、布本体はパンツ状に形成されて着用可能となる。
【００１３】
次に、第２の考案は、第１の考案において、布本体が折り畳まれずに胴回り部が胴部に固定される場合に、胴回り部の一端及び第１の側部の少なくともいずれかに第１の接続手段が設けられ、胴回り部の他端及び第２の側部の少なくともいずれかに第２の接続手段が設けられ、第１の接続手段と第２の接続手段を接続して第１の接続部を形成することで、布本体は、巻きスカート状をなすことを特徴とする。
【００１４】
このような構成の考案において、第１の接続手段が設けられるのは、（１）胴回り部の一端寄りのみ、又は（２）第１の側部のみ、又は（３）胴回り部の一端寄りと第１の側部の両方、のうちのいずれかである。また、第１の接続手段として、具体的には、点ファスナーや線ファスナーのほか、面ファスナーが使用される。このようなファスナー類は、上記（２）又は（３）の場合、第１の側部の全長に亘って設けられるほか、その一部に設けられても良い。第２の接続手段も上記と同様の構成である。
なお、第１の接続部は、第１の接続手段と第２の接続手段が接続される場合に限り形成される。
上記構成の考案においては、第１の考案の作用に加えて、胴回り部を胴部に巻き付けた後に第１の接続部を形成することにより、布本体が巻きスカート状をなす。したがって、この布本体によってオムツが覆い隠される。
【００１５】
続いて、第３の考案は、第１の考案において、布本体が折り畳み線において折り畳まれて胴回り部が胴部に固定される場合に、胴回り部の一端及び第１の側部の少なくともいずれかに第１の接続手段が設けられ、胴回り部の他端及び第２の側部の少なくともいずれかに第２の接続手段が設けられ、第１の接続手段同士を接続し、かつ第２の接続手段同士を接続してそれぞれ第２の接続部を形成することで、布本体は、中心線に関して対称的に１箇所ずつ設けられる裾部がそれぞれ脚部を挿入する一対の脚挿入孔として設けられるパンツ状をなすことを特徴とする。
このような構成の考案において、第１の接続手段が設けられるのは、それぞれ第２の考案と同様の、上記（１）乃至（３）のいずれかである。第1の接続手段として、具体的には、点ファスナーや線ファスナーのほか、面ファスナーが使用される。このようなファスナー類は、上記（２）又は（３）の場合、第１の側部の全長に亘って設けられるほか、その一部に設けられても良い。第２の接続手段も上記と同様の構成である。
なお、第１及び第２の接続部は、第１の接続手段同士を接続する場合と、第２の接続手段同士を接続する場合に限り、中心線に関して対称的に１箇所ずつそれぞれ形成される。
【００１６】
上記構成の考案においては、第１の考案の作用に加えて、胴回り部を胴部に巻き付けた後、両方の脚部に裾部をそれぞれ巻き付け、脚部に沿ってそれぞれ第1及び第２の接続部を形成することにより、筒状の一対の脚挿入部が設けられる。これにより、一対の脚挿入部に脚部がそれぞれ挿入されるとともにオムツが布本体によって覆い隠された状態となる。
また、第１及び第２の接続部の一方、又は両方を分離して解消することにより、第１の側部と第２の側部の間に隙間が形成され、着用者の下半身から布本体が取り外し可能となる。
【００１７】
さらに、第４の考案は、第１乃至第３のいずれかの考案において、胴回り部の内面のうち着用者の腰部に一致して配置される腰部配置部に、胴部に巻回されるベルト部材と、着用者の股下部を被覆するための長尺状をなす被覆カバーがそれぞれ取り付けられ、ベルト部材は、腰部配置部に取り付けられる取付部と、この取付部から互いに離れる方向に延設される第１及び第２の紐状部を備え、この第１及び第２の紐状部は、各先端に第１及び第２の連結手段がそれぞれ設けられ、被覆カバーは、一方の短辺が腰部配置部に取り付けられるとともに、他方の短辺が着用者の腹部側において第１及び第２の連結手段同士が互いに連結して形成される連結部に係止されることを特徴とする。
【００１８】
このような構成の考案において、被覆カバーの他方の短辺と連結部との係止方法として、例えば、他方の短辺を連結部と腹部表面との隙間にくぐらせた後連結部の上から垂れ下げるほか、他方の短辺を面ファスナーや点ファスナーを介して連結部へ分離可能に接合することが考えられる。
上記構成の考案においては、第１乃至第３のいずれかの考案の作用に加えて、布本体をスカート状又はパンツ状に形成して着用する場合のいずれにおいても、被覆カバーが布本体の腰部配置部とベルト部材の連結部に架け渡されて股下部を被覆する。
また、ベルト部材の取付部が布本体の腰部配置部に取り付けられる一方で、連結部は布本体に固定されないため、胴回り部が胴部に完全に固定されない場合においても、連結部を形成可能である。
【００１９】
そして、第５の考案は、第４の考案において、連結部は、着用者の腹部と接触する接触面と、接触しない非接触面を有する平板状をなし、非接触面は、長尺体がその両端部を介して取り付けられ、被覆カバーの他方の短辺は、長尺体の両端部間において、非接触面と長尺体との隙間に挿入されて係止されることを特徴とする。
このような構成の考案においては、第４の考案の作用に加えて、被覆カバーの他方の短辺は、非接触面と長尺体との隙間に挿入された後折り返され、長尺体に係止される。なお、「腹部と接触する」とは、接触面が腹部の皮膚面に直接接触するほか、布体を介して間接的に接触する場合も含む概念である。
【考案の効果】
【００２０】
第１の考案によれば、布本体は、１枚の布体に展開可能であって簡易な構成であることから、比較的安価に製造できる。また、胴回り部を胴部に巻き付けることで、布本体は巻きスカート状又はパンツ状に形成されて着用可能となるため、布本体の装着及び取り外しが容易である。
【００２１】
第２の考案によれば、第１の考案の効果に加えて、胴回り部を胴部に巻き付けた後に第１の接続部を形成するという簡単な手順によって、布本体を巻きスカート状に形成して着用することができる。よって、オムツを布本体によって覆い隠すことが可能であり、オムツ装着時の外観を良好とすることができる。
また、第１の接続部を分離して解消することにより、着用者が起立したまま脚部を上げなくてもオムツを交換可能である。そのため、着用者にとって安全性が高く、着用を補助する補助者にとっても使い勝手が良い。
【００２２】
第３の考案によれば、第１の考案の効果に加えて、胴回り部を胴部に巻き付けた後に第１の接続部と第２の接続部を中心線に関して対称的に１箇所ずつそれぞれ形成するという簡単な手順によって、布本体をパンツ状に形成して着用することができる。
また、第１の接続部と第２の接続部のいずれか一方を分離することにより、着用者が起立したまま脚部を上げなくてもオムツを交換可能である。
【００２３】
第４の考案によれば、第１乃至第３のいずれかの考案の効果に加えて、被覆カバーが腰部配置部と連結部に架け渡されて股下部を被覆するため、オムツを被覆カバーの内部に収容して保持することができる。
また、胴回り部が胴部に完全に固定されない場合においても、連結部を形成することができるので、被覆カバーの他端が連結部に係止された状態を維持することが可能である。したがって、オムツを被覆カバーの内部に安定的に保持可能であるとともに、起立した状態でオムツを交換する際に胴回り部を緩めただけで不意にオムツが落下してしまうことがない。
【００２４】
第５の考案によれば、第４の考案の効果に加えて、被覆カバーの他方の短辺が長尺体に係止されるので、被覆カバーの内部にオムツを簡単に収容して保持したり、又は取り出したりすることができる。
【図面の簡単な説明】
【００２５】
【図１】実施例１に係るボトムの展開図である。
【図２】（ａ）及び（ｂ）は、それぞれ実施例１に係るボトムの正面図及び後面図である。
【図３】（ａ）及び（ｂ）は、それぞれ実施例１に係るボトムを構成するベルト部材と被覆カバーの正面図であって、（ａ）はベルト部材に連結部が形成され、かつこの連結部に被覆カバーが係止されていない場合であり、（ｂ）は連結部が形成され、かつこの連結部に被覆カバーが係止されている場合を示したものである。
【図４】実施例１に係るボトムを構成するベルト部材と被覆カバーを着用した場合の斜視図である。
【図５】実施例１に係るボトムを着用した場合の斜視図である。
【図６】実施例２に係るボトムの展開図である。
【図７】（ａ）及び（ｂ）は、それぞれ実施例２に係るボトムを構成する布本体をパンツ状に形成する途中の状態を示す正面図である。
【図８】（ａ）及び（ｂ）は、それぞれ実施例２に係るボトムの正面図及び後面図である。
【考案を実施するための形態】
【実施例１】
【００２６】
本考案の第１の実施の形態に係るボトムについて、図１乃至図５を用いて詳細に説明する。図１は、実施例１に係るボトムの展開図である。
図１に示すように、実施例１に係るボトム１は、着用者の下半身５１（図４，５参照）に着用されるボトムである。なお、着用者とは、介護施設で介護される被介護者のほか、例えば病院や家庭等において手足や全身の動きが不自由な一般者も含む概念である。
このボトム１は、着用者の胴部５０（図４，５参照）に固定される胴回り部２と、着用者の脚部５５（図４，５参照）の周囲に配置される裾部５と、胴回り部２と裾部５の間に介在する第１の側部３及び第２の側部４と、で囲まれる布本体６を備える。
このうち、胴回り部２は、長尺の袋体の一部に帯状のゴムテープ（図示せず）が入れ込まれ、ギャザーを有するように袋体と縫合されることで、胴回り部２の長手方向に沿って伸縮可能に構成される。また、布本体６は、略台形状の後身頃６Ｂと、この後身頃６Ｂの左右両側縁にそれぞれ縫着される略長方形状の前身頃６Ａ，６Ａからなる。なお、図中の線Ｌｃは、布本体６の左右方向（Ｘ方向）についての中心線である。
【００２７】
ボトム１においては、非着用時は布本体６が１枚の略四角形状をなす布体に展開可能である。しかし、着用時には、布本体６が折り畳まれずに胴回り部２が胴部５０に巻回されて固定される。そのため、胴回り部２、第１の側部３、第２の側部４及び裾部５は、それぞれ１箇所ずつ布本体６の周縁に設けられる。
また、胴回り部２の一端２ａにおいては、胴回り部２の内面２ｃ（腹部５４に接触する側の面）に略正方形状をなす第１の接続手段７が間隔を空けて２箇所に設けられ、胴回り部２の他端２ｂにおける外面２ｄ（腹部５４に接触しない側の面）に長尺状の第２の接続手段８が設けられる。具体的には、第１の接続手段７，７と、第２の接続手段８は、それぞれ互いに係合する面ファスナーである。よって、胴回り部２を胴部５０に固定するには、まず胴回り部２の他端２ｂを胴部５０に巻回し、その上から一端２ａを重ね合わせる。このとき、着用者の姿勢は起立又は仰臥位のいずれでも良い。
【００２８】
次に、実施例１に係るボトムの外観について、図２を用いながら説明する。図２（ａ）及び図２（ｂ）は、それぞれ実施例１に係るボトムの正面図及び後面図である。なお、図１で示した構成要素については、図２においても同一の符号を付して、その説明を省略する。
図２（ａ）及び図２（ｂ）に示すように、ボトム１は、第１の接続手段７，７と第２の接続手段８を接続して第１の接続部９を形成することで、巻きスカート状をなす。このとき、図２（ａ）に示すように、布本体６の前身頃６Ａ，６Ａにおいては、第１の側部３と第２の側部４が重なり合う重合部１０が形成される。この重合部１０は、布本体６の中心線Ｌｃを中心としてほぼ左右均等な範囲に配置され、かつ一定の大きさの横幅Ｗ１０を有している。そのため、第１の側部３及び第２の側部４にそれぞれ第１の接続手段７と第２の接続手段８が設けられなくても、着用者の動作によって第１の側部３と第２の側部４が大きく引き離されることが防止される。なお、重合部１０の横幅Ｗ１０の大きさは、例えば、前身頃６Ａの横幅Ｗ６Ａの大きさの約１／２に設計されている。
また、図２（ｂ）に示すように、着用後の布本体６の後面は、一般的なスカートの後面と何ら変わるところがない。
【００２９】
さらに、実施例１に係るボトムを構成するベルト部材と被覆カバーについて、図１及び図３を用いながら説明する。図３（ａ）及び図３（ｂ）は、それぞれ実施例１に係るボトムを構成するベルト部材と被覆カバーの正面図であって、図３（ａ）はベルト部材に連結部が形成され、かつこの連結部に被覆カバーが係止されていない場合であり、図３（ｂ）は連結部が形成され、かつこの連結部に被覆カバーが係止されている場合を示したものである。なお、図１及び図２で示した構成要素については、図３においても同一の符号を付して、その説明を省略する。
図１に示すように、胴回り部２の内面２ｃのうち着用者の腰部５２（図４，５参照）に一致して配置される腰部配置部２Ｌに、胴部５０に巻回されるベルト部材１１と、着用者の股上部５３（図４参照）を被覆するための長尺状をなす被覆カバー１７がそれぞれ取り付けられる。より正確には、ベルト部材１１が腰部配置部２Ｌに取り付けられ、被覆カバー１７の一方の短辺１７ａがベルト部材１１に取り付けられる。また、腰部配置部２Ｌと、ベルト部材１１と、被覆カバー１７は、それぞれの横幅が布本体６の左右方向についての中心線ＬＣを中心として左右均等になるように配置されている。
【００３０】
次に、ベルト部材１１と被覆カバー１７の構成について、より詳細に説明する。まずベルト部材１１は、腰部配置部２Ｌに縫着して取り付けられる取付部１２と、この取付部１２から互いに離れる方向に延設される第１の紐状部１３と第２の紐状部１４を備える。第１の紐状部１３及び第２の紐状部１４は、いずれも同一の長さを有し、各先端に略正方形状をなす第１の連結手段１３ａ及び横長に長尺状をなす第２の連結手段１４ａがそれぞれ設けられる。
【００３１】
具体的には、第１の連結手段１３ａと、第２の連結手段１４ａは、それぞれ互いに係合する面ファスナーである。また、第１の連結手段１３ａは第１の紐状部１３において腹部５４に接触する側の面に間隔を空けて２箇所に設けられ、第２の連結手段１４ａは第２の紐状部１４において腹部５４に接触しない側の面に設けられる。よって、ベルト部材１１を胴部５０に固定するには、まず第２の紐状部１４を胴部５０に巻回し、その上から第１の紐状部１３を重ね合わせる。
そして、被覆カバー１７は、一方の短辺１７ａがベルト部材１１の取付部１２に縫着されるとともに、他方の短辺１７ｂが連結部１５（図３参照）に係止される。なお、連結部１５は着用者の腹部５４側において第１の連結手段１３ａと第２の連結手段１４ａ同士が互いに係合して形成されるため、布本体６に固定されていない。
【００３２】
さらに、図３（ａ）及び図３（ｂ）に示すように、連結部１５は、着用者の腹部５４（図４，５参照）と接触する接触面１５ａと、接触しない非接触面１５ｂを有する略平板状をなしている。ここで、「略平板状」とは、接触面１５ａ及び非接触面１５ｂが多少の凹凸を有することで、連結部１５の厚さが均一でないものも含む概念である。なお、接触面１５ａは第２の紐状部１４における第２の連結手段１４ａ（図１参照）が設けられない側の面に相当し、非接触面１５ｂは第１の紐状部１３における第１の連結手段１３ａ（図１参照）が設けられない側の面に相当する。
また、非接触面１５ｂには、その両端部１６ａ，１６ｂが縫着されることで長尺体１６が取り付けられる。そして、図３（ｂ）に示すように、被覆カバー１７の他方の短辺１７ｂは、長尺体１６の端部１６ａと端部１６ｂ間において、非接触面１５ｂと長尺体１６との隙間に挿入された後折り返される。これにより、他方の短辺１７ｂが長尺体１６に係止される。
また、長尺体１６は、具体的にはゴムテープであって、その全長が非接触面１５ｂに接するように取り付けられている。したがって、他方の短辺１７ｂが非接触面１５ｂと長尺体１６との隙間に挿入されると、長尺体１６が他方の短辺１７ｂを非接触面１５ｂの方へ押さえ付けるため、他方の短辺１７ｂが当初の位置からずれたり、抜け落ちたりすることが防止される。
【００３３】
続いて、実施例１に係るボトムの着用時の状態について、図４を用いながら説明する。図４は、実施例１に係るボトムを構成するベルト部材と被覆カバーを着用した場合の斜視図である。図５は、実施例１に係るボトムを着用した場合の斜視図である。なお、図１乃至図３で示した構成要素については、図４及び図５においても同一の符号を付して、その説明を省略する。
図４に示すように、着用者の腹部５４側において連結部１５が形成されることにより、ベルト部材１１が胴部５０に固定される。このとき、腰部５２に配置される腰部配置部２Ｌ（図１参照）と、ベルト部材１１と、被覆カバー１７は、それぞれ布本体６の中心線ＬＣ（図１参照）を中心として左右均等の幅になるように配置されていることから、中心線ＬＣを着用者の体中心と一致させることで、連結部１５と被覆カバー１７も着用者の体中心を中心として左右均等に配置される。よって、着用者の下半身５１において、被覆カバー１７が、両方の脚部５５の間に無理なく挟まって股上部５３を被覆可能となる。
【００３４】
このような状態の被覆カバー１７の上面にオムツ（図示せず）を収容するとき、被覆カバー１７の他方の短辺１７ｂが長尺体１６に係止されるため、オムツを股上部５３に当てた状態が安定的に維持される。なお、実際には、ベルト部材１１と被覆カバー１７は布本体６の腰部配置部２Ｌに縫着されているため、図４で示したように、ベルト部材１１と被覆カバー１７のみが布本体６とは独立して着用者に着用されることはない。
【００３５】
続いて、図５に、ボトム１を着用した場合の外観を示す。図５に示すように、ベルト部材１１のやや上方において、第１の接続手段７，７と第２の接続手段８が互いに係合することで胴回り部２が胴部５０へ固定される。第１の接続手段７，７はそれぞれ略正方形状であり、第２の接続手段８は横長の長尺形状であるため、胴部５０のサイズに応じて第１の接続手段７の係合位置が適宜調節される。
また、オムツが被覆カバー１７によって保持される場合には、重合部１０が着用者の体中心を中心として左右均等な範囲に配置されるため、歩行時における両脚の運動が妨げられるおそれはない。
【００３６】
上記構成のボトム１を着用するには、まず胴回り部２を胴部５０に巻き付ける。なお、着用者の姿勢は起立又は仰臥位のいずれでも良いが、起立の場合、布本体６が落下しないように、着用者や別の補助者に胴回り部２を保持してもらうと良い。
次に、ベルト部材１１を胴部５０に巻回した後、第１の連結手段１３ａを第２の連結手段１４ａ（図１参照）へ係合して連結部１５を形成する。そして、被覆カバー１７で股上部５３（図４参照）を被覆し、他方の短辺１７ｂを長尺体１６に係止する。これにより、被覆カバー１７が布本体６の腰部配置部２Ｌ（図１参照）とベルト部材１１の連結部１５に架け渡されて股上部５３を被覆することになる。その後、第１の接続手段７，７と第２の接続手段８を完全に係合して第１の接続部９を形成することにより、布本体６が巻きスカート状をなす。
また、第１の連結手段１３ａと第２の連結手段１４ａは前身頃６Ａ，６Ａに固定されないため、胴回り部２が胴部５０に完全に固定されない場合においても、連結部１５を形成可能である。
一方、オムツを交換する際は、第１の接続手段７，７と第２の接続手段８の係合を解消し、連結部１５の非接触面１５ｂ（図３参照）と長尺体１６の隙間から被覆カバー１７の他方の短辺１７ｂを引き出すことで、オムツを取り外すことができる。
【００３７】
以上説明したように、ボトム１によれば、布本体６は、１枚の布体に展開可能であって簡易な構成であることから、比較的安価に製造できる。また、胴回り部２を胴部５０に巻き付けた後に第１の接続部９を形成するという簡単な手順によって、布本体６は巻きスカート状に形成されて着用可能となるため、布本体６の装着及び取り外しが容易である。よって、着用時においては、オムツを布本体６によって覆い隠すことが可能であり、オムツ装着時の外観を良好とすることができる。
【００３８】
また、第１の接続部９を形成することにより、巻きスカート状となった布本体６が着崩れすることを防止できる。したがって、巻きスカートの裾の間からオムツカバーが見えることもないから、着用者がオムツに気を取られることがなく安心して歩行したり、横になったりすることができる。
このとき、布本体６の内部では、被覆カバー１７が布本体６の腰部配置部２Ｌとベルト部材１１の連結部１５に架け渡されて股上部５３を被覆しているので、オムツを被覆カバー１７の内部に収容して保持することができ、その落下やずれを防止することができる。
【００３９】
さらに、第１の接続手段７，７と第２の接続手段８を分離することにより、着用者が起立したまま脚部を上げなくてもオムツを交換可能であるから、着用者にとって安全性が高く、補助者にとっても使い勝手が良い。
また、第１の接続手段７，７と第２の接続手段８が分離しているために胴回り部２が胴部５０に完全に固定されない場合においても、連結部１５を形成することができるので、被覆カバー１７の他方の短辺１７ｂが連結部１５の長尺体１６に係止された状態を維持することが可能である。したがって、起立した状態でオムツを交換する際に胴回り部２を緩めただけで不意にオムツが落下してしまうことがない。
加えて、被覆カバー１７の他方の短辺１７ｂが長尺体１６に係止されるので、被覆カバー１７の内部にオムツを簡単に収容して保持したり、又は取り出したりすることができる。
【実施例２】
【００４０】
本考案の第２の実施の形態に係るボトムについて、図６乃至図８を用いて詳細に説明する。図６は、実施例２に係るボトムの展開図である。なお、図１乃至図５で示した構成要素については、図６においても同一の符号を付して、その説明を省略する。
図６に示すように、実施例２に係るボトム１ａも、着用者の下半身５１（図４，５参照）に着用されるボトムである。
ボトム１ａは、着用者の胴部５０（図４，５参照）に固定される胴回り部１８と、着用者の脚部５５（図４，５参照）の周囲に配置される裾部２１と、胴回り部１８と裾部２１の間に介在する第１の側部１９及び第２の側部２０と、で囲まれる布本体２２を備える。
【００４１】
このうち、胴回り部１８は、実施例１に係る胴回り部２と同様の構成であって、胴回り部１８の長手方向に沿って伸縮可能に構成される。また、布本体２２は、線Ｌｃについて対称的となるように互いに縫着される前身頃２２Ａ，２２Ａと、線Ｌｃについて対称的な形状を有する後身頃２２Ｂと、前身頃２２Ａ，２２Ａと後身頃２２Ｂの間に設けられてこれらに縫着される股下布２２Ｃからなる。
また、線Ｌfで分割した場合における後身頃２２Ｂの幅Ｗ２２Ｂの方が、１枚の前身頃２２Ａの幅Ｗ２２Ａよりも広いため、第１の側部１９同士の接続と第２の側部２０同士の接続によって形成される第２の接続部２５，２５（図７参照）は、両方の脚部５５の前面にそれぞれ形成されることとなる。
なお、図中の線Ｌｃは、布本体２２の左右方向（Ｘ方向）についての中心線であり、線Ｌｆは布本体２２が上下方向に二つ折りされる際の折り畳み線である。この折り畳み線Ｌｆは、着用者の股下に一致して走行する線を概念したものである。
【００４２】
ボトム１ａにおいては、非着用時は布本体２２が１枚の略八角形状の布体に展開可能である。しかし、着用時には、布本体２２が折り畳み線Ｌｆにおいて折り畳まれて胴回り部１８が胴部５０に固定される。そのため、胴回り部１８、第１の側部１９及び第２の側部２０はそれぞれ折り畳み線Ｌｆを挟んで１箇所ずつ設けられる。なお、合計２箇所の胴回り部１８，１８のうち、腹部５４側の胴回り部１８の内面には、この内面とは異なる色のゴムテープ１８ｃが縫着されている。また、裾部２１は、布本体２２の中心線Ｌｃについて対称的に１箇所ずつ設けられる。
さらに、胴回り部１８の一端１８ａ及び第１の側部１９の両方に第１の接続手段２３が設けられる。
加えて、胴回り部１８の他端１８ｂ及び第２の側部２０の両方に第２の接続手段２４が設けられる。
したがって、第１の接続手段２３，２３同士を接続し、かつ第２の接続手段２４，２４同士を接続してそれぞれ第２の接続部２５，２５（図７（ｂ），図８参照）を形成することで、布本体２２は、中心線Ｌｃに関して対称的に１箇所ずつ設けられる裾部２１，２１がそれぞれ脚部５５を挿入する一対の脚挿入孔２６，２６（図７，図８参照）として設けられるパンツ状をなす。
【００４３】
詳細には、第１の接続手段２３は、胴回り部１８の一端１８ａに設けられ、それぞれ互いに係合する略正方形状の面ファスナー２３Ｕ，２３Ｕ´と、第１の側部１９のほぼ全長に亘って設けられ、それぞれ互いに係合する線ファスナー２３Ｌ，２３Ｌ´から構成される。
また、第２の接続手段２４は、胴回り部１８の他端１８ｂに設けられ、それぞれ互いに係合する略正方形状の面ファスナー２４Ｕ，２４Ｕ´と、第２の側部２０のほぼ全長に亘って設けられ、それぞれ互いに係合する線ファスナー２４Ｌ，２４Ｌ´から構成される。
上記以外のボトム１ａの構成は、実施例１に係るボトム１の構成と同様である。
【００４４】
さらに、実施例２に係るボトムを着用する手順について、図７を用いながら説明する。図７（ａ）及び図７（ｂ）は、それぞれ実施例２に係るボトムを構成する布本体をパンツ状に形成する途中の状態を示す正面図である。なお、図１乃至図６で示した構成要素については、図７においても同一の符号を付して、その説明を省略する。
図７（ａ）に示すように、ボトム１ａを着用するには、まず着用者の胴部５０（図４，５参照）に胴回り部１８，１８をそれぞれ巻き付ける。これにより、第１の側部１９，１９が一方の脚部５５の前面に配置され、第２の側部２０，２０が他方の脚部５５の前面に配置される。なお、着用者の姿勢は起立又は仰臥位のいずれでも良いが、起立の場合、布本体２２が落下しないように、着用者や別の補助者に胴回り部１８，１８を保持してもらうと良い。
【００４５】
次に、図３（ｂ）を用いて説明したように、ベルト部材１１を胴部５０に巻回した後、被覆カバー１７で股上部５３を被覆し、他方の短辺１７ｂを長尺体１６に係止する。
そうしておいて、着用者の両方の脚部５５に裾部２１，２１をそれぞれ巻き付け、面ファスナー２３Ｕ，２３Ｕ´同士を係合させるとともに面ファスナー２４Ｕ，２４Ｕ´同士を係合させる。
続いて、図７（ｂ）に示すように、線ファスナー２３Ｌ，２３Ｌ´の上端同士を係合し、かつ線ファスナー２４Ｌ，２４Ｌ´の上端同士を係合させ、第２の接続部２５，２５をそれぞれ形成する。その後、線ファスナー２３Ｌ，２３Ｌ´及び線ファスナー２４Ｌ，２４Ｌ´を、それぞれの全長に亘って係合させる。
【００４６】
さらに、実施例２に係るボトムの外観について、図８を用いながら説明する。図８（ａ）及び図８（ｂ）は、それぞれ実施例２に係るボトムの正面図及び後面図である。なお、図１乃至図７で示した構成要素については、図８においても同一の符号を付して、その説明を省略する。
図８（ａ）に示すように、ボトム１ａにおいては、第２の接続部２５，２５が両方の脚部５５の前面において布本体２２の中心線Ｌｃを中心として左右に形成される。これにより、裾部２１，２１がそれぞれ筒状となって一対の脚挿入孔２６，２６となるから、布本体２２はパンツ状に形成される。
また、図７（ｂ）に示すように、着用後の布本体２２の後面は、一般的なパンツの後面と何ら変わるところがない。
【００４７】
上記構成のボトム１ａにおいては、布本体２２がパンツ状に形成されることで、着用者に装着されたオムツが布本体２２によって覆い隠された状態となる。このとき、布本体２２の内部には実施例１に係るベルト部材１１と被覆カバー１７が備えられることから、オムツは被覆カバー１７によって保持されている。
また、オムツを交換する際には、第２の接続部２５，２５の少なくとも一方を解除することにより、第１の側部１９，１９の間と第２の側部２０，２０の間の少なくとも一方に隙間が形成される。そのため、被覆カバー１７の他方の短辺１７ｂを長尺体１６（図３７参照）から取り外す操作を行うことが可能となり、被覆カバー１７の内部からオムツを容易に取り出して交換することができる。
一方、布本体２２を取り外す際には、図７を用いて説明したのと逆の手順を行うことにより、着用者の下半身５１から布本体２２が取り外し可能となる。  
上記以外のボトム１ａの作用は、実施例１に係るボトム１の作用と同様である。
【００４８】
以上説明したように、ボトム１ａによれば、胴回り部１８，１８を胴部５０に巻き付けた後に、第１の接続手段２３，２３同士を接続し、かつ第２の接続手段２４，２４同士を接続するという簡単な手順によって、布本体２２をパンツ状に形成して着用することができる。よって、着用後に着用者が動作し易く、臀部が布本体２２によって完全に覆われオムツカバーが見えることもないから、オムツ装着時における布本体２２の着心地と外観を向上させることができる。
また、第１の接続手段２３，２３の係合又は第２の接続手段２４，２４の係合の一方を解除することにより、着用者が起立したまま脚部を上げなくてもオムツを交換可能である。さらに、下半身５１を隠した状態でオムツ交換ができるので、従来着用者が感じていた不快感を大きく低下させることが可能である。
上記以外のボトム１ａの効果は、実施例１に係るボトム１の効果と同様である。
【００４９】
なお、本考案に係るボトムは、実施例に示すものに限定されない。例えば、ボトム１の裾部５の長さ及びボトム１ａの裾部２１の長さは、着用者の体型や好みに合わせてそれぞれ長めに調整されても良い。また、ボトム１において、重合部１０の横幅Ｗ１０の大きさは前身頃６Ａの横幅Ｗ６Ａの大きさの約１／２よりも広く、又は狭く設計されても良い。
さらに、ベルト部材１１は腰部配置部２Ｌに縫着される代わりに、面ファスナーや点ファスナーを介して着脱可能とされても良い。さらに、被覆カバー１７は、一方の短辺１７ａがベルト部材１１の取付部１２に縫着される代わりに、面ファスナー等を介して着脱可能とされても良く、また一方の短辺１７ａが腰部配置部２Ｌに対して縫着又は面ファスナー等を介して着脱可能とされても良い。
このほか、第１の接続手段２３及び第２の接続手段２４は、面ファスナーや線ファスナーの代わりに点ファスナーが使用されても良い。第１の連結手段１３ａ及び第２の連結手段１４ａも、点ファスナーが使用されても良い。
【産業上の利用可能性】
【００５０】
本考案は、着用者の下半身に着用されるボトムとして利用可能である。
【符号の説明】
【００５１】
１，１ａ…ボトム  ２…胴回り部  ２ａ…一端  ２ｂ…他端  ２ｃ…内面  ２ｄ…外面  ２Ｌ…腰部配置部  ３…第１の側部  ４…第２の側部  ５…裾部  ６…布本体  ６Ａ…前身頃  ６Ｂ…後身頃  ７…第１の接続手段  ８…第２の接続手段  ９…第１の接続部  １０…重合部  １１…ベルト部材  １２…取付部  １３…第１の紐状部  １３ａ…第１の連結手段  １４…第２の紐状部  １４ａ…第２の連結手段  １５…連結部  １５ａ…接触面  １５ｂ…非接触面  １６…長尺体  １６ａ，１６ｂ…両端部  １７…被覆カバー  １７ａ…一方の短辺  １７ｂ…他方の短辺  １８…胴回り部  １８ａ…一端  １８ｂ…他端  １８ｃ…ゴムテープ  １９…第１の側部  ２０…第２の側部  ２１…裾部  ２２…布本体  ２２Ａ…前身頃  ２２Ｂ…後身頃  ２２Ｃ…股下布  ２３…第１の接続手段  ２３Ｕ，２３Ｕ´…面ファスナー  ２３Ｌ，２３Ｌ´…線ファスナー  ２４…第２の接続手段  ２４Ｕ，２４Ｕ´…面ファスナー  ２４Ｌ，２４Ｌ´…線ファスナー  ２５…第２の接続部  ２６…脚挿入孔  ５０…胴部  ５１…下半身  ５２…腰部  ５３…股上部  ５４…腹部  ５５…脚部
【図１】
0003218290.tif 000003
【図２】
0003218290.tif 000004
【図３】
0003218290.tif 000005
【図４】
0003218290.tif 000006
【図５】
0003218290.tif 000007
【図６】
0003218290.tif 000008
【図７】
0003218290.tif 000009
【図８】
0003218290.tif 000010